(57)【要約】【課題】携帯型装置上のフォルダの内容を動的に更新する方法及びシステムを提供すること。【解決手段】本発明によるシステムは，携帯型装置上の少なくとも一つのフォルダを動的フォルダとして特定するステップと，動的フォルダに対応する少なくとも一つのコンテキストパラメータを決定するステップと，少なくとも一つのコンテキストパラメータに対応する動的フォルダに追加できるアプリケーションを検索するステップと，検索によって見付かった各アプリケーションに対応するアイコンを生成するステップと，動的フォルダ内の各アプリケーションに対応する各アイコンを表示するステップと，を有する。【選択図】図１
2015533435.tif 000002
【特許請求の範囲】
【請求項１】
携帯型装置上のフォルダの内容を動的に更新する方法であって，
前記携帯型装置上の少なくとも一つのフォルダを動的フォルダとして特定するステップと，
前記動的フォルダに対応する少なくとも一つのコンテキストパラメータを決定するステップと，
前記少なくとも一つのコンテキストパラメータに対応する前記動的フォルダに追加できるアプリケーションを検索するステップと，
前記検索によって見付かった各アプリケーションに対応するアイコンを生成するステップと，
前記動的フォルダ内の各アプリケーションに対応する各アイコンを表示するステップと，を有する方法。
【請求項２】
少なくとも一つの外部パラメータを受信するステップと，
前記少なくとも一つの外部パラメータに基づいて，前記検索によって見付かった前記アプリケーションを選別するステップと，
を更に有する，請求項１に記載の方法。
【請求項３】
前記外部パラメータは，前記携帯型装置の利用者及び前記携帯型装置のうち少なくとも一つを特徴付ける，請求項２に記載の方法。
【請求項４】
前記コンテキストパラメータは，前記動的フォルダの名称及び前記動的フォルダの内容のうち少なくとも一つに基づいて決定される，請求項１に記載の方法。
【請求項５】
前記動的フォルダ内の少なくとも一つのアプリケーションそれぞれの範ちゅうを特定するステップと，
前記動的フォルダ内のアプリケーションの前記範ちゅうに基づいて，前記コンテキストパラメータを設定するステップと，
を更に有する，請求項４に記載の方法。
【請求項６】
前記検索は，前記携帯型装置，網及び複数の情報資源のうち少なくとも一つにおいて実行され，前記網は少なくともインターネットであり，前記複数の情報資源はそれぞれ，検索エンジン，コンテンツ提供者サーバ，垂直比較エンジン，コンテンツ発行者サーバ及び利用者装置に組み込まれたモバイルアプリケーションのうち少なくとも一つである，請求項１に記載の方法。
【請求項７】
前記網の検索は，アプリケーションの中央リポジトリを検索することを更に有する，請求項６に記載の方法。
【請求項８】
前記検索において見付かった各アプリケーションは固有アプリケーション及びウェブアプリケーションのいずれか一つを含む，請求項６に記載の方法。
【請求項９】
前記検索において見付かった各アプリケーションに対応する前記アイコンを生成するステップは，
前記固有アプリケーション，情報資源及び前記ウェブアプリケーションのうちいずれか一つごとに異なるアイコンを生成するステップを更に有する，請求項８に記載の方法。
【請求項１０】
少なくとも一つのアイコンは，対応するアプリケーションを起動するか，又は前記携帯型装置上に前記対応するアプリケーションを組み込むようにする図形記号，ウィジェット及びガジェットのうちいずれか一つである，請求項９に記載の方法。
【請求項１１】
１又は複数の処理ユニットが，請求項１に記載の方法を実行するようにする命令を記憶した非一時的計算機可読媒体。
【請求項１２】
携帯型装置上のフォルダの内容を動的に更新するシステムであって，
前記携帯型装置上の少なくとも一つのフォルダが動的フォルダであるという特定情報を利用者から受信するインタフェースと，
プロセッサと，
前記プロセッサに接続されたメモリであって，実行されたとき前記システムに，
前記動的フォルダに対応する少なくとも一つのコンテキストパラメータを決定するステップと，
前記少なくとも一つのコンテキストパラメータに対応する前記動的フォルダに追加できるアプリケーションを検索するステップと，
前記検索によって見付かった各アプリケーションに対応するアイコンを生成するステップと，
前記動的フォルダ内の各アプリケーションに対応する各アイコンを表示するステップと，を実行させる複数の命令を記憶するように構成されたメモリと，
を備えるシステム。
【請求項１３】
前記プロセッサは，
少なくとも一つ外部パラメータを受信し，
前記少なくとも一つの外部パラメータに基づいて，前記検索によって見付かった前記アプリケーションを選別する，
ように更に構成される，請求項１２に記載のシステム。
【請求項１４】
前記コンテキストパラメータは，前記動的フォルダの名称及び前記動的フォルダの内容のうち少なくとも一つに基づいて決定される，請求項１２に記載のシステム。
【請求項１５】
前記プロセッサは，
前記動的フォルダ内のアプリケーションそれぞれの範ちゅうを特定し，
前記動的フォルダ内のアプリケーションの前記範ちゅうに基づいて，前記コンテキストパラメータを設定する，
ように更に構成される，請求項１２に記載のシステム。
【請求項１６】
前記検索は，前記携帯型装置，網及び複数の情報資源のうち少なくとも一つにおいて実行され，前記網は少なくともインターネットであり，前記複数の情報資源はそれぞれ，検索エンジン，コンテンツ提供者サーバ，垂直比較エンジン，コンテンツ発行者サーバ及び利用者装置に組み込まれたモバイルアプリケーションのうち少なくとも一つである，請求項１２に記載のシステム。
【請求項１７】
前記網の検索は，アプリケーションの中央リポジトリを検索することを更に有する，請求項１６に記載のシステム。
【請求項１８】
前記検索によって見付かった各アプリケーションは固有アプリケーション及びウェブアプリケーションのいずれか一つを含む，請求項１６に記載のシステム。
【請求項１９】
前記プロセッサは，
前記固有アプリケーション，情報資源及び前記ウェブアプリケーションごとに異なるアイコンを生成するように更に構成される，請求項１８に記載のシステム。
【請求項２０】
少なくとも一つのアイコンは，対応するアプリケーションを起動するか，又は前記携帯型装置上に前記対応するアプリケーションを組み込むようにする図形記号，ウィジェット及びガジェットのうちいずれか一つである，請求項１９に記載のシステム。
【発明の詳細な説明】
【技術分野】
【０００１】
本発明は概略、装置上のアプリケーションの表示に関し，より詳細には，装置上のフォルダにアプリケーションを追加する技法に関する。
【０００２】
本願は，２０１２年１０月１７日付け出願の米国仮特許出願第６１／７１４，７７７号の優先権を主張する。また本願は，次に掲げる出願の一部継続出願である。
ａ）２０１２年５月３１日付け出願の米国仮特許出願第６１／６５３，５６２号の優先権を主張する，２０１２年１２月１２日付け出願の米国特許出願第１３／７１２，５６３号
ｂ）２０１１年３月２８日付け出願の米国仮特許出願第６１／４６８，０９５号及び２０１０年６月１１日付け出願の米国仮特許出願第６１／３５４，０２２号の優先権を主張する，２０１１年６月９日付け出願の米国特許出願第１３／１５６，９９９号
ｃ）２０１１年１１月１５日付け出願の米国特許出願第１３／２９６，６１９号
上述の出願の内容はここに参照によって組み込まれる。
【背景技術】
【０００３】
携帯型装置，特にスマートホンの使用が著しく増加している。このような携帯型装置は，多くの場合別の計算装置の主な代替手段となり，携帯型装置によって種々の応用プログラムのデータにアクセスできるようになった。アプリケーション又はアプリ（Ａｐｐｓ）とも呼ばれる応用プログラムは，携帯型装置（通常，スマートホン又はタブレット計算機）の利用者が特定の仕事（ｔａｓｋ）を実行することを支援するように設計されている。アプリケーションは計算装置に組み込まれてもよいし，例えばＡｐｐＳｔｏｒｅ（登録商標）のようなウェブ上の情報源で利用可能，かつ場合によってはダウンロード可能であってもよい。
【０００４】
携帯型装置のアプリケーション間を移動（ｎａｖｉｇａｔｅ）するために，グラヒックユーザインタフェース（ＧＵＩ）がよく使用される。ＧＵＩは，利用者が文字コマンドではなく画像を用いて電子装置と対話できるようにする種類の利用者インタフェースである。しかし，今や非常に多くのアプリケーションが利用可能であり，携帯型装置の表示領域は本質的に極めて限られるため，携帯型装置に組み込まれているか，又はウェブを介して利用可能なアプリケーション間を移動することはますます困難になっている。
【０００５】
携帯型装置内のアプリケーション間を容易に移動するために，利用者はフォルダ内にアプリケーションを配置する選択肢が与えられている。種々のしぐさ（ｇｅｓｔｕｒｅ）を適用することによって，フォルダの生成及びフォルダ内へのアプリケーションの配置が手動で実行される。例えば，携帯型装置の利用者は，フォルダを生成するために，あるアプリケーションのアイコンをタップして，そのアイコンを別のアプリケーションを表す別のアイコンの上にドラッグすることができる。その後，任意のアプリケーションをタップして，生成したフォルダにドラッグすることができる。これによって，携帯型装置のディスプレイ上の乱雑さを減少させることができる。生成されたフォルダは，装置のオペレーションシステム（ＯＳ）が自動的に命名してもよいし，利用者が手動で命名してもよい。例えば，利用者はゲームアプリケーションのすべてのアイコンを一つのフォルダに配置し，そのフォルダを「ゲーム」と命名してもよい。
【０００６】
しかし，ｉＯＳ（登録商標）又はＡｎｄｒｏｉｄ（登録商標）のような，携帯型装置用に現在利用可能なＯＳは，フォルダ内に動的にアプリケーションを配置するか，又は前に生成されたフォルダに含まれるかもしれないアプリケーションを検索する方法（ｓｏｌｕｔｉｏｎ）を提供していない。さらに，このような機能をサポートするアプリケーションを提供する方法は現在はない。
【０００７】
したがって，利用者の好みに応じてアプリケーションを動的に配置することによって，先行技術の制約を克服する方法を提供することが有利である。
【発明の概要】
【課題を解決するための手段】
【０００８】
ここで開示するある実施形態は，携帯型装置上のフォルダの内容を動的に更新する方法を含む。この方法は，携帯型装置上の少なくとも一つのフォルダを動的フォルダとして特定するステップと，動的フォルダに対応する少なくとも一つのコンテキストパラメータを決定するステップと，少なくとも一つのコンテキストパラメータに対応する動的フォルダに追加できるアプリケーションを検索するステップと，検索によって見付かった各アプリケーションに対応するアイコンを生成するステップと，動的フォルダ内の各アプリケーションに対応する各アイコンを表示するステップと，を有する。
【０００９】
ここで開示するある実施形態はまた，携帯型装置上のフォルダの内容を動的に更新するシステムも含む。このシステムは，携帯型装置上の少なくとも一つのフォルダが動的フォルダであるという特定情報を利用者から受信するインタフェースと，プロセッサと，プロセッサに接続されたメモリであって，実行されたときシステムに，動的フォルダに対応する少なくとも一つのコンテキストパラメータを決定するステップと，少なくとも一つのコンテキストパラメータに対応する動的フォルダに追加できるアプリケーションを検索するステップと，検索によって見付かった各アプリケーションに対応するアイコンを生成するステップと，動的フォルダ内の各アプリケーションに対応する各アイコンを表示するステップと，を実行させる複数の命令を記憶するように構成されたメモリとを備える。
【００１０】
発明とみなされる対象が特に指摘され，本明細書の終わりで明確に請求される。本発明の前述又はほかの目的，特徴及び利点は，添付の図面と共に以降の詳細な説明を読めば明らかになるであろう。
【図面の簡単な説明】
【００１１】
【図１】ある実施形態によるシステムの概略図である。
【図２】ある実施形態による，装置上の動的フォルダを更新するためのシステムの動作を説明するフローチャートである。
【図３】ある実施形態による，装置上の動的フォルダの更新を表示する，携帯型装置の画面のスクリーンショットである。
【発明を実施するための形態】
【００１２】
ここに開示する実施形態は，ここで提示する革新的教示の多くの潜在的な有利な利用及び実現の形態の例に過ぎない。一般に，本願明細書における記載は，種々の請求される発明のいずれかを限定するとは限らない。さらに，いくつかの記載はいくつかの発明の特徴に適用してもよいが，ほかの特徴には適用されない。一般に，別途指示しない限り，単数の要素は，一般性を失うことなく複数であってもよく，その逆もあり得る。添付の図面において，いくつかの図を通して類似の番号は類似部分を指す。
【００１３】
ここで開示するある実施形態は，携帯型装置上に存在するフォルダを更新するシステム及び方法を含む。システムは携帯型装置上のフォルダを動的フォルダとして特定し，動的フォルダに対応する少なくとも一つのコンテキストパラメータを更に特定する。動的フォルダに追加可能なアプリケーションを特定するため，コンテキストパラメータを用いて，利用者の携帯型装置上で局所的に，インターネット上で，又はその双方の場所で検索が行われる。次に，検索によって見付かった１又は複数のアプリケーションを表す１又は複数のアイコンが動的フォルダに表示される。このような表現は，１又は複数のアプリケーションに直接アクセスするためであってもよいし，それらへのショートカットのためであってもよい。
【００１４】
ここに開示するアプリケーションは，限定するものではないが，固有（ｎａｔｉｖｅ）アプリケーション（「インターネットモバイルアプリケーション」とも呼ばれる）及びウェブアプリケーションを含む。固有アプリケーションは携帯型装置上で動作する任意のソフトウェアアプリケーションであって，必須ではないが，インターネットを用いて，又はインターネットへの接続を介して利用することができる。通常，固有アプリケーションはスマートホン又はタブレット計算機に組み込まれている（アップル（登録商標）のｉＰｈｏｎｅ（登録商標）及びｉＰＡＤ（登録商標）用のアプリ）。固有アプリケーションの例は，映画を再生するアプリケーション，歌をダウンロードするアプリケーション，利用者がピザを注文できるアプリケーション，利用者が電気屋に家庭訪問を依頼することができるアプリケーション，等を含む。ウェブアプリケーションはウェブブラウザによってワールドワイドウェブ（ｗｗｗ）上で利用できる任意のアプリケーションである。通常，ウェブアプリケーションはウェブサーバによって実行され，利用者の装置（クライアント）は処理結果を受信するものであり，例えば航空券を予約するウェブアプリケーションである。一つの実施例においては，固有アプリケーション及びウェブアプリケーションが別のフォルダを用いて動的フォルダに提示される。
【００１５】
図１は，ここで開示する種々の実施形態を説明するために用いられる，網システム１００の例示及び非限定的な概略図である。限定するものではないが，タブレット計算機，スマートホン，等の利用者携帯型装置１１０は網１２０と通信する。網１２０は，有線，無線，セルラ，構内網（ＬＡＮ），広域網（ＷＡＮ），都市域網（ＭＡＮ），インターネット，ＷＷＷ，等，及びそれらの任意の組合せであってよい。
【００１６】
サーバ１３０は利用者装置上のフォルダを動的フォルダとして特定する。この特定は，携帯型装置１１０からの通知を受信することによって行ってもよい。一つの実施形態においては，動的フォルダの規定はフォルダの省略時値（デフォルト）であってもよい。すなわち，携帯型装置上に生成された新規フォルダはどれも動的フォルダに設定される。次にサーバ１３０は動的フォルダに対応するコンテキストパラメータを特定し，メモリ１４５に記憶された命令の実行によって動作する処理ユニット１４０を用いて，コンテキストパラメータを処理する。
【００１７】
例示実施形態によれば，コンテキストパラメータは例えばフォルダ名であってよい。別の例示実施形態においては，サーバ１３０はさらに，動的フォルダがあるとき，コンテキストパラメータを決定するために動的フォルダの内容を分析する。すなわち，サーバ１３０は動的フォルダに現在含まれている各アプリケーションがどの範ちゅう（疇）に属するかを判定し，当該フォルダに含まれるアプリケーションのほとんどの範ちゅうに基づいて，コンテキストパラメータを決定する。例えば，アプリケーションのほとんどがゲームアプリケーションに分類できるときは，コンテキストパラメータは「ゲーム」に設定してもよい。ここで，分析の結果，フォルダに別の名前が与えられることがあることに注意されたい。例えば，利用者がフォルダを「遊び時間」と命名し，フォルダがゲーブアプリケーションだけを含むとき，サーバ１３０が実行する分析の結果，コンテキストパラメータは「ゲーム」に等しくなるであろう。コンテキストパラメータの値は，省略されたときは利用者が与えたフォルダ名に設定され，後に利用者が追加のアプリケーションを当該フォルダに配置したとき，コンテキストパラメータを利用者が実行する分析によって更新してもよい。コンテキストパラメータは，更なる利用のため，データベース１５０に記憶させてもよい。
【００１８】
また別の実施形態においては，上述のコンテキストパラメータの特定を，エージェント（図示せず）又は携帯型装置１１０に組み込まれた固有アプリケーションによって実行してもよい。この実施形態によれば，コンテキストパラメータの特定は，網１２０への接続なしにオフラインで実行してもよい。
【００１９】
少なくとも一つのコンテキストパラメータに基づいて，サーバ１３０は動的フォルダに追加できるアプリケーションを求めて，局所的に携帯型装置１１０を，網１２０を，又は装置１１０及び網１２０の双方を検索する。アイコンはアプリケーション又はアプリケーションへのショートカットを表してもよい。次にサーバ１３０は，利用者の装置上の動的フォルダに１又は複数のアイコンを表示する。利用者装置が網１２０に接続されていないときは，検索は携帯型装置１１０上で局所的にだけ行うことができる。
【００２０】
別の実施形態においては，サーバ１３０は，携帯型装置１１０を介して，動的フォルダにアイコンを追加，又は動的フォルダからアイコンを削除する要求を利用者から受信する。一つの実施形態においては，サーバ１３０はまた，使用されていないか，又はもはや関係のないアプリケーションを特定し，当該アプリケーションが利用者によって明示的に追加されたか，又はキーパーと特定されていない限り，動的フォルダから削除する。
【００２１】
図１に示すように，複数のウェブ資源１６０−１から１６０−ｎまでと接続された網１２０がある。資源１６０は，限定するものではないが，複数のウェブ検索エンジン，コンテンツ提供者のサーバ，垂直比較エンジン，コンテンツ発行者のサーバ，などを含む。資源１６０は，「クラウドベース」アプリケーション，すなわち，クラウドコンピューティング基盤設備（インフラストラクチャ），例えば，限定するものではないが，専用クラウド，公共クラウド又はそれらの任意の組合せ，のサーバによって実行されるアプリケーションである。クラウドコンピューティング基盤設備は通常，データセンタによって実現される。
【００２２】
一つの実施形態によれば，動的フォルダに含めるアプリケーション又は内容の検索は，コンテキストパラメータに基づいて，１又は複数の資源１６０の選択を含んでもよい。検索サーバ１２０は，少なくとも一つのコンテキストパラメータに対応する動的フォルダについての利用者の好みに対処するために，資源１６０−１から１６０−ｎまでのうちどれが最も適切な資源であるかを決定するように構成される。最も適切な資源を検索する方法は，上述の米国特許出願第１３／７１２，５６３号に更に詳細に記載されている。
【００２３】
別の実施形態によれば，携帯型装置１１０に既に組み込まれているアプリケーションの局所検索だけが実行される。局所検索は，携帯型装置１１０がサーバ１３０への接続されていないとき，又はサーバ１３０が網を介して検索結果を取得できないとき，実行される。一つの実施形態においては，「オフライン」検索は携帯型装置に組み込まれたアプリケーションによって実行され，少なくとも一つのコンテキストパラメータに基づいて，動的フォルダ１１０に追加することができる，携帯型装置１１０に組み込まれたアプリケーションを検索するためのサーバ１３０のタスクを遠隔実行するように構成される。
【００２４】
図２は，一つの実施形態による，利用者の装置上の動的フォルダを更新する方法の例示かつ非制限的フローチャート２００を示している。ステップＳ２１０において，利用者装置，例えば携帯型装置１１０上のフォルダが，サーバ１３０によって動的フォルダと特定される。このような特定は，携帯型装置１１０の設定に対応して行ってもよい。
【００２５】
ステップＳ２２０において，動的フォルダに対応する少なくとも一つのコンテキストパラメータが特定される。コンテキストパラメータは，例えば動的フォルダの名称，動的フォルダの内容，等に基づいて設定してもよい。フォルダの名称が利用者装置のＯＳによって自動的に指定されているか，装置１１０の利用者によって指定されている場合，サーバ１３０は指定された名称が動的フォルダの内容と相関があるか否かを検査するように構成される。指定された名称に相関がないときは，サーバ１３０によって適切な名称が決定される。上述のとおり，このような決定は，記憶されているアプリケーションを一意に特定する，動的フォルダ内の各アプリケーションの範ちゅうに基づいてもよい。
【００２６】
ステップＳ２３０において，少なくとも一つのコンテキストパラメータに対応して，動的フォルダに追加できる１又は複数のアプリケーションの検索がサーバ１３０によって実行される。検索は，局所的に携帯型装置１１０上で，網１２０内で，資源１６０について，又はこれらの任意の組合せについて実行することができる。一つの実施形態においては，網１２０を検索するステップは，携帯型装置用に設計されたアプリケーションについて，中央リポジトリを検索するステップを含んでもよい。検索は，例えば，ＡｐｐＳｔｏｒｅ（登録商標），ＧｏｏｇｌｅＰｌａｙ（登録商標），ＭＳ  Ｓｔｏｒｅ，協同リポジトリ，等において実行することができる。検索は，コンテキストパラメータで１又は複数のリポジトリに問い合わせる（ｑｕｅｒｙ）ステップを含んでもよい。資源１６０の検索は，少なくとも一つのコンテキストパラメータに対応する，動的フォルダについての利用者の好みに対処するために最も適切な資源を選択するために，サーバ１３０によって実行される。携帯型装置１１０の検索は，動的フォルダに追加できる，携帯型装置１１０上に局所的に組み込まれたアプリケーションを見付けるために実行される。上述のとおり，局所的検索は，携帯型装置１１０がサーバ１３０との活性な接続を有しないときにも実行することができる。
【００２７】
任意選択で，ステップＳ２３５において，検索結果，すなわち，検索によって返却されたアプリケーション及び／又は資源が，利用者に最も適切なアプリケーションを提供するために記憶され，及び／又は選別（ｆｉｌｔｅｒ）されてもよい。一つの実施形態においては，選別及び／又は記憶は少なくとも一つの外部パラメータを用いて実行される。この外部パラメータは，携帯型装置の利用者及び利用者の装置のうち少なくとも一つを特徴付ける。外部パラメータは，限定するものではないが，利用者に対応する人口統計学的情報，携帯型装置の位置，装置のＯＳの種類，等を含んでもよい。例えば，外部パラメータが利用者の年齢を含むときは，検索（ステップＳ２３０）によって見付かった年齢制限アプリケーションを選別することができる。別の例として，携帯型装置のＯＳがｉＯＳ（登録商標）であるとき，この主のＯＳと両立性のないアプリケーションは除外される。外部パラメータは，携帯型装置及び外部データベース（例えば，データベース１５０）から受信してもよい。
【００２８】
ステップＳ２４０において，少なくとも一つのアプリケーションが見付かったか否かが検査され，見付かったときは，続いてステップＳ２５０が実行される。そうでないときは，続いてステップＳ２７０が実行される。別の実施形態においては，ステップＳ２４０において，利用者が少なくとも一つのアプリケーションを動的フォルダに追加したか否かが検査される。このようなアプリケーションは動的フォルダの一部と考えてもよい。
【００２９】
ステップＳ２５０において，見付かった１又は複数のアプリケーションに対応する１又は複数のアイコンが生成される。ステップＳ２６０において，１又は複数のアプリケーションに対応する１又は複数のアイコンが，利用者の装置上のフォルダに表示される。一つの実施形態においては，ウェブアプリケーションを固有アプリケーションとは異なるアイコン，例えば丸いアイコンによって表してもよい。アイコンは，利用者装置のディスプレイに描画及び表示される任意の種類の図形記号であってよい。アイコンをクリック又はタップすることによって，対応するアプリケーションが起動されるか，又は情報資源（例えば，ニュースのウェブサイト）へのリンクが提供され，それによって利用者に所望の情報及び／又は動作が提供される。一つの実施形態においては，アイコンは，ウェブ上の対応する資源を活性化し，及び／又は資源へのリンクを提供するウィジェット又はガジェットの形態であってもよい。このウィジェット又はガジェットは，上で詳説したように選択されたアプリケーションと関係することに注意されたい。一つの実施形態においては，動的フォルダにアイコンを配置する前に，サーバ１３０が利用者に，動作を完了させるために配置を承認又は認証するように要求する。
【００３０】
ステップＳ２７０において，サーバ１３０が特定した追加フォルダが動的フォルダに追加されたか否かが検査され，追加されたときは続いてステップＳ２２０が実行される。そうでないときは，実行は終了する。
【００３１】
図３は，典型的な携帯型装置３１０の画面の例示の非制限的なスクリーンショット３００を示す。利用者はウィンドウ３２０に動的フォルダの名称を入力する。利用者が例えば動的フォルダの名称として「音楽」を入力したとき，サーバ１３０は当該フォルダに追加できるアプリケーションを求めて，局所的及び／又は網（例えばインターネット）を検索する。次に，サーバ１３０は，携帯型装置３１０の動的フォルダ３４０内のアプリケーションを表すアイコン３３０を表示する。
【００３２】
この実施形態によれば，ウェブアプリケーションは丸いアイコンで表される。一つの実施形態においては，動的フォルダの名称に対応する１又は複数の画像を含む即席の（ｉｎｓｔａｎｔ）壁紙が動的フォルダ３４０の背景に表示される。即席壁紙の表示については，２０１１年１１月１５日付け出願の同時係属中特許出願第１３／２９６，６１９号"A System and Methods Thereof for Instantaneous Updating of a Wallpaper Responsive of a Query Input and Responses Thereto"に詳細に説明されている。同出願の内容をここに参照によって組み込む。
【００３３】
一つの実施形態においては，フォルダ内のアプリケーションの出現順序は利用者選択に対応して変更可能である。別の実施形態によれば，サーバ１３０は利用者からフォルダに表示する１又は複数のアプリケーションの選択を受信してもよい。また別の実施形態においては，サーバ１３０は動的フォルダの名称又は動的フォルダの内容に一致するサブフォルダの生成を可能にする。例えば，「ゲーム」と命名されたフォルダは，「パズル」及び「トリビア」のようなサブフォルダ又は利用者の選択に従うほかのサブフォルダを有してもよい。
【００３４】
ここに開示さいた実施形態は，利用者に検索の問合せ（ｑｕｅｒｙ）を提供させることなく，携帯型装置の利用者が興味を持つアプリケーションを検索することを可能にすることを認識されたい。すなわち，単に携帯型装置上にフォルダを生成し，そのフォルダを動的フォルダとして設定することによって，開示された実施形態は，そのフォルダに利用者が興味を持つアプリケーションを入れることができる。さらに，開示された実施形態は，利用者とのいかなる対話もなしに，利用者装置に既に組み込まれたアプリケーションを配置することを可能にする。
【００３５】
ここに開示した種々の実施形態は，ハードウェア，ファームウェア，ソフトウェア又はそれらの任意の組合せとして実現できる。さらに，ソフトウェアは，プログラム記憶ユニット，若しくは部品からなる，又は一定の装置及び／又は装置の組合せからなる実体的計算機可読媒体上に実体的に実現された応用プログラムとして実現することが望ましい。応用プログラムは，任意の適切なアーキテクチャを有する機械にアップロードし，実行することができる。機械は，１又は複数の中央処理ユニット（ＣＰＵ），メモリ，及び入出力インタフェースのようなハードウェアを備える計算機プラットホーム上に実現されることが望ましい。計算機プラットホームはまた，ＯＳ及びマイクロ命令コードを含んでもよい。ここで説明した種々の処理及び機能は，マイクロ命令コードの一部若しくは応用プログラムの一部のいずれか又はそれらの任意の組合せであってよく，ＣＰＵによって実行することができるが，そのような計算機又はプロセッサは明示的に示されていない。さらに，追加データ記憶ユニット及び印刷ユニットのような種々のほかの周辺ユニットを計算機プラットホームに接続してもよい。サーバのすべて又はいくつかは，１又は複数の統合サーバに結合してもよい。さらに，非一時的計算機可読媒体は，一時的伝ぱ信号を除く任意の計算機可読媒体である。表示部分及び小表示部分は，はん用又はここに詳細に説明した目的に適合させた，インターネットモバイルアプリケーションのブラウザ又はほかの適切なグラヒックユーザインタフェースであってよい。
【００３６】
ここに述べたすべての例及び条件的な表現は，本発明の原理及び技術進歩に本発明者が貢献した思想を理解する際に読者を補助するための教育学的目的を意図したものであり，具体的に述べた例及び条件に限定することなく解釈するものとする。さらに，ここで本発明の原理，態様及び実施形態を述べたすべての記載は，その特定の例と共に，構造的均等物及び機能的均等物双方を含むものとする。さらに，このような均等物は現在既知の均等物のみならず，将来開発される均等物，すなわち，構造にかかわらず同一の機能を実行するように開発される任意の要素を含むものとする。
【図１】
2015533435.tif 000003
【図２】
2015533435.tif 000004
【図３】
2015533435.tif 000005
【国際調査報告】
2015533435.tif 000006
2015533435.tif 000007